【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
メイン情報記録領域に記録されるメイン情報が、再生順序を設定されることによってマルチストーリ展開が図られて再生されるそれぞれ独立した多数のセル情報からなり、
上記各セル情報の再生順序を規定する複数の再生順序情報を、上記メイン情報記録領域に対する上記メイン情報の記録形態により定義付けして保有することを特徴とする情報記録媒体。
【請求項２】
上記各セル情報が、ユーザによる再生設定が可能な第１のセル情報群と、ユーザによる再生設定が不能な第２のセル情報群とから構成され、
上記再生順序情報が、ユーザによって上記第１のセル情報群から任意に選択されて設定されるセル情報に関する第２の再生順序情報との比較結果に基づいて、上記第２のセル情報群から所定のセル情報を選択する制御信号として用いられることを特徴とする請求項１に記載の情報記録媒体。
【請求項３】
上記各セル情報が、ユーザによる再生設定が可能な第１のセル情報群と、再生が禁止された第３のセル情報群とから構成され、
上記再生順序情報が、ユーザによって上記第１のセル情報群から任意に選択されて設定されるセル情報に関する第２の再生順序情報との比較結果に基づいて、上記第３のセル情報群から所定のセル情報を選択して再生可能とする制御信号として用いられることを特徴とする請求項１に記載の情報記録媒体。
【請求項４】
上記再生順序情報が、上記第２の再生順序情報との比較結果に基づいて、情報記録再生装置と接続された外部情報配信機関から追加セル情報或いは新規メイン情報の配信を許可する制御信号として用いられることを特徴とする請求項２に記載の情報記録媒体。
【請求項５】
メイン情報記録領域に記録されるメイン情報が再生順序を設定されることによってマルチストーリ展開が図られて再生されるそれぞれ独立した多数のセル情報からなり、上記各セル情報の再生順序を規定する複数の再生順序情報が、上記メイン情報記録領域に対する上記メイン情報の記録形態によって定義付けされて保有する情報記録媒体が用いられ、
ユーザにより上記各セル情報の再生条件の設定操作を行う操作部と、ユーザにより任意に選択されて設定される上記セル情報に関する第２の再生順序情報に基づいて上記情報記録媒体から上記各セル情報を順次再生するとともに上記再生順序情報を検出する再生部と、再生操作の終了に伴って上記情報記録媒体に上記メイン情報を異なる記録形態を以って記録することにより当該再生操作に関する情報を定義付けして上記情報記録媒体に保有させる記録部と、各部に対して制御信号を出力する制御部とを備え、
上記再生順序情報と上記第２の再生順序情報との比較結果に基づいて、再生順序が最後のセル情報に続いて再生されるセル情報を選択して再生することを特徴とする情報記録再生装置。
【請求項６】
外部情報配信機関と接続される外部入出力部を備え、
上記再生部によって検出した上記再生順序情報と上記操作部を介して設定された上記第２の再生順序情報との比較結果に基づいて、上記外部入出力部が上記外部情報配信装置から追加セル情報或いは新規メイン情報の配信を許可されるように構成したことを特徴とする請求項５に記載の情報記録再生装置。
【請求項７】
上記外部入出力部が、上記外部情報配信機関及び外部課金処理機関と接続され、
上記外部入出力部を介して上記外部課金処理機関との間で所定の対価支払い処理を行うことにより、上記外部情報配信機関から配信される上記追加セル情報或いは新規メイン情報を受信することを特徴とする請求項５に記載の情報記録再生装置。
【請求項８】
メイン情報記録領域に記録されるメイン情報が再生順序を設定されることによってマルチストーリ展開が図られて再生されるそれぞれ独立した多数のセル情報からなり、上記各セル情報の再生順序を規定する複数の再生順序情報が、上記メイン情報記録領域に対する上記メイン情報の記録形態により定義付けされて保有する情報記録媒体と、
ユーザによって上記メイン情報の再生条件が設定操作される操作部と、上記情報記録媒体からメイン情報を再生するとともに上記再生順序情報を検出する再生部と、再生操作の終了に伴って上記情報記録媒体に上記各セル情報を記録する記録部と、各部に対して制御信号を出力する制御部とを備える情報記録再生装置が用いられ、
上記再生部に上記情報記録媒体を装填する処理と、
ユーザによる上記メイン情報の再生条件の設定に際して上記各セル情報の再生順序を設定して第２の再生順序情報を生成する処理と、
上記再生部において、上記第２の再生順序情報に基づいて上記情報記録媒体から所定のセル情報を選択して順次再生する処理と、
上記再生部において、上記情報記録媒体に保有された上記再生順序情報と上記第２の再生順序情報とを比較して検出結果を上記制御部に出力する処理と、
上記制御部から上記各部に対して、上記各再生順序情報に基づいて再生操作と記録操作とを固有モードに制御する制御信号を出力する処理と、
上記記録部において、再生操作の終了に伴って上記情報記録媒体に上記各セル情報を異なる記録形態を以って記録することにより当該再生操作の上記再生順序情報を定義付けして記録する処理と
を行うことを特徴とする情報記録再生方法。
【手続補正２】
【補正対象書類名】明細書
【補正対象項目名】００２４
【補正方法】変更
【補正の内容】
【００２４】
情報記録媒体２として用いられる例えば光磁気ディスクの基本的構成を図２に示す。光磁気ディスク２は、一般にディスクの定義情報やコントロール条件等の制御信号情報ＳＭが、内周領域と外周領域都とに構成されたコントロールトラック領域５ａ、５ｂにそれぞれ記録される。光磁気ディスク２は、内外のコントロールトラック領域５ａ、５ｂ間の領域がフォーマット領域として、ユーザによるメイン情報Ｍの記録領域６として構成される。光磁気ディスク２には、メイン情報記録領域６にスパイラル状或いは同心円状に記録トラック７が形成され、図３に示すようにメイン情報Ｍのデータが例えばピット形式で記録される。
【手続補正３】
【補正対象書類名】明細書
【補正対象項目名】００２５
【補正方法】変更
【補正の内容】
【００２５】
光磁気ディスク２においては、一般に図３の中央部の記録トラック７ａに示すように、メイン情報Ｍのデータを記録するデータピットｐ１〜ｐ３がそれぞれトラック中心線ｌ上に位置して記録される。また、光磁気ディスク２は、メイン情報Ｍに上述した付加情報ＡＭを定義付けするために、所定範囲のデータを記録するデータピットがトラック中心線ｌに対してトラック制御可能な範囲で上下にズラされて記録される。すなわち、光磁気ディスク２は、メイン情報ＭのデータＭ２のデータピットｐ４〜ｐ６が記録トラック７ｂのトラック中心線ｌに対してΔｘ分上側にズラして記録される。また、光磁気ディスク２は、データＭ３のデータピットｐ７〜ｐ９が記録トラック７ｃのトラック中心線ｌに対してΔｘ分下側にズラして記録される。
【手続補正４】
【補正対象書類名】明細書
【補正対象項目名】００２６
【補正方法】変更
【補正の内容】
【００２６】
光磁気ディスク２においては、このようにメイン情報Ｍの一定範囲のデータＭ１〜Ｍ３が記録トラック７に対する記録形態を異にして記録されるようにする。光磁気ディスク２は、メイン情報Ｍを再生する際に、トラック中心線ｌに対してΔｘ分位置をズラして記録された各データＭ１〜Ｍ３の出力にジッターが生じる。したがって、光磁気ディスク２は、このジッター量の差異を検出することによって、例えば上側領域に形成されたピットｐ４〜ｐ６の出力に「０」、下側領域に形成されたピットｐ７〜ｐ９の出力に「１」の符号化を行うことによって後述する種々の付加情報ＡＭを定義付けすることが可能となる。
【手続補正５】
【補正対象書類名】明細書
【補正対象項目名】００２８
【補正方法】変更
【補正の内容】
【００２８】
なお、情報記録媒体２には、上述した光磁気ディスクばかりでなく、例えば光ディスク、磁気ディスク或いは半導体メモリ等の適宜の情報記録媒体が用いられる。情報記録媒体２は、１個であっても複数個であってもよく、カートリッジに組み込まれたものであってもよい。情報記録媒体２は、記録層が１層であっても多層であってもよい。情報記録媒体２は、情報記録再生装置１が例えばパーソナルコンピュータに組み込まれる場合に、本体装置側の磁気ディスクであってもよい。情報記録媒体２は、付加情報ＡＭを定義付けすることによりメイン情報Ｍの記録形態が、上述したトラック中心線ｌに対する位置ズレ記録に限定されるものでは無い。情報記録媒体２は、例えば付加情報ＡＭを定義付けする各データＭ１〜Ｍ３について、トラック進行方向に対して基準位置をズラして記録するようにしてもよい。情報記録媒体２は、付加情報ＡＭのデータ量に応じてこれを定義付ける対象のデータＭ１〜Ｍ３が適宜設定される。情報記録媒体２は、メイン情報記録領域６に容量的に余裕がある場合には、この領域内に一部の付加情報ＡＭについてメイン情報Ｍの記録形態によらずに直接記録するようにしてもよい。
【手続補正６】
【補正対象書類名】明細書
【補正対象項目名】００８０
【補正方法】変更
【補正の内容】
【００８０】
【発明の効果】
以上詳細に説明したように本発明にかかる記録媒体は、各セル情報の再生順序情報をメイン情報の記録形態によって定義付けして保有することから、メイン情報の記録容量を保持して多機能化が図られるとともに各ユーザ毎に最適な情報が記録されて個人特化が図られるようになる。情報記録媒体は、ユーザにより任意に設定された再生順序に基づいて各セル情報が順次選択されてマルチストーリ展開が図られてメイン情報の再生が行われるが、検出された再生順序情報に基づいて情報記録再生装置を固有モードに制御することを可能とする。情報記録媒体によれば、再生順序情報が種々の制御信号として利用されることにより、新たな利用形態が創成されるようになる。情報記録媒体は、再生順序情報が最後のセル情報に続いて記録したセル情報の中から未再生分セル情報を選択して再生する制御情報として利用されることで、思わぬストーリ展開を可能とする。情報記録媒体は、再生順序情報が再生操作を禁止されてメイン情報記録領域に記録された複数のセル情報の１つを選択するとともに、この選択セル情報を最後のセル情報に続いて再生することを可能とする制御情報として利用されることでよりストーリ展開の多様化が図られるようにする。情報記録媒体は、再生順序情報に基づいて各セル情報が所定の順序で再生されたことを検出することにより、情報記録再生装置と接続された外部情報配信機関から再生順序が最後のセル情報に続いて再生される追加セル情報或いは新規メイン情報の配信を受けることを可能とする。